Podtech/llm-jp-corpus-v4-ja_patent huggingface dataset:
(57)【要約】      （修正有）【課題】ピースに障害物マークを加えてゲームをスリルあるものにしたゲーム具を提供する。【解決手段】両面が色違いの正六角形のピース６０個と、６１個の枡目を正六角形状に配列したボードとから成り、６０個の前記ピースに障害物のマークを含ませたことを特徴とするゲーム具である。二人がピースを交互に置き、相手のピースを挟んでは裏返して自分の色に変えるゲームにおいて、障害物マークを開いた時はその場で進行を止め、次の一回は休みとすることでゲームにスリルを持たせた。【選択図】図１
0003148235.tif 000002
【実用新案登録請求の範囲】
【請求項１】
両面が色違いの正六角形のピース６０個と、６１個の桝目を正六角形状に配列したボードとを組み合わせたゲーム具である。
尚、６０個のピースに障害物を含ませたことが最大の特長である。
【考案の詳細な説明】
【技術分野】
【０００１】  ゲーム具である。
【背景技術】
【０００２】  従来よりピースゲーム具はあった。
【考案の開示】
【考案が解決しようとする課題】
【０００３】  従来のパズルは、表裏色違いの丸ピースを二人が交互に置き、相手のピースを挟んでは裏返して自分の色に変える。
これを単に繰り返しながら数を取り合うゲームであった。
【課題を解決するための手段】
【０００４】  本考案は、ピースに障害物を加えてゲームにスリルを持たせた。
【実施例】
【０００５】  本考案は、表（１ａ）裏（１ｂ）を色違いとするピース６０個と、６１個の桝目（４）を正六角状に配列したボード（３）と、を組み合わせたゲームである。【０００６】ピース（１ａ）（１ｂ）は、一辺の長さが２０〜３０ミリの正六角形である。【０００７】  ６０個のピース（１ａ）（１ｂ）の中に障害物・地雷（２）マークを含ませてスリルをもたせた。【０００８】  桝目（４）はピース（１ａ）（１ｂ）の大きさよりやや大き目である。【０００９】ボード（３）の中心部に起点（５）マークが標示してある。【００１０】  桝目（４）は、起点（５）を中心にして、１周目６、２周目１２、３周目１８、４周目２４合計桝目６１個で正六角状に配列されている。（図１参照）【００１１】  ゲームを行うには、先ず起点（５）の周囲に、双方が一つおきにピース（１ａ）（１ｂ）を並べる。（図１参照）【００１２】スタートの一手目は必ず起点（５）に置く。【００１３】二手目以降は必ず相手のピースを挟まなければならない。【００１４】挟んだピースは裏返して自分の色にする。【００１５】ピース（１ａ）（１ｂ）を裏がえすときは、置いたピースの方から順に返していく。【００１６】挟む場所が無いときは、挟む場所が見つかるまでパスをする。【００１７】地雷（２）を仕掛ける位置は自由である。【００１８】地雷（２）を開いたときはその場で進行を止め、次の一回は休みとなる。
【産業上の利用可能性】
【００１９】  本考案は、ルールが簡単で子供から高齢者まで楽しめ、一家団欒の遊具になる。【００２０】高齢者には、脳を活性化させ老化予防に役立つ。【００２１】  製作が極めて容易である。
【図面の簡単な説明】
【００２２】
【図１】本考案の、ボード（３）にピース（１ａ）（１ｂ）を初期配置したときの平面図
【図２】本考案の、ゲーム途中を示したピース（１ａ）（１ｂ）の配置平面図
【図３】本考案の、ピース（１ａ）の平面図
【図４】本考案の、ピース（１ｂ）の平面図
【図５】本考案の、ピース地雷（２）の平面図
【符号の説明】
【００２３】  １ａピース表    １ｂピース裏
２  地雷
３  ボード
４  桝目
５  起点
【図１】
0003148235.tif 000003
【図２】
0003148235.tif 000004
【図３】
0003148235.tif 000005
【図４】
0003148235.tif 000006
【図５】
0003148235.tif 000007
【手続補正書】
【提出日】平成20年10月30日(2008.10.30)
【手続補正１】
【補正対象書類名】実用新案登録請求の範囲
【補正対象項目名】全文
【補正方法】変更
【補正の内容】
【実用新案登録請求の範囲】
【請求項１】
両面が色違いの正六角のピース６０個と、６１個の桝目を正六角形状に配列したボードとから成り、６０個の前記ピースに障害物のマークを含ませたことを特徴とするゲーム具。
(57)【要約】      （修正有）【課題】テントの屋根の一部に開口部を設けることにより、強風や突風時に該テントが転倒・倒壊するおそれを少なくしたテントを提供する。【解決手段】強風や突風時には、風がテントの屋根部から通過するように、棟部分１−１に開口部１−２を設ける。テントと同布生地を開口部よりやや大きめに切断して覆せ生地１−３を作成し、その一辺をテントの開口部の一辺に縫いつけるｂ−１。該覆せ生地の他の３辺は、雨水で濡れても剥がれる事がないようにマジックテープ（登録商標）１−３−２等で、開口部の周辺に沿って固定する。上記の構成により、平常時はテントの棟部分の開口部分は閉鎖され、強風時には、覆せ生地が剥がれて、テントの棟部の該開口部が開放され、風が吹き抜ける構造とする。【選択図】図１
0003148232.tif 000002
【実用新案登録請求の範囲】
【請求項１】
野外での運動会や各催し等で、運動場や広場に張って利用するテントが、突然の強風や突風で舞い上がったり倒れたり吹き飛んだりするのを防ぐ、テントの屋根棟部分に、風の抜ける開口を設けた構造のテントを提供するる
【考案の詳細な説明】
【技術分野】
【０００１】従来は、野外での運動会や各催しなどで、校庭や広場等にテントを張り利用している。
【背景技術】
【０００２】その、運動会や各催しなどで、校庭や広場等にテントを張り利用しているが、時には、突然の強風や突風で、テントが舞い上がったり、倒れたり、吹き飛んだりして大きな事故が発生する事が時々ある。
【考案の開示】
【考案が解決しようとする課題】
【０００３】その、突然の強風や突風等で、テントが舞い上がったり、倒れたり、吹き飛んだりする理由は、屋根の棟部分が、傘を広げた時と同じように上部が狭く高くなっている。この構造では、風が下から上に舞い上がる時、浮力が働いて、テントを持ち上げたり、舞い上がったり、倒れたり、吹き飛んだりするのである【０００４】本考案は、その突然の強風や突風で、テントが舞い上がったり、倒れたり、吹き飛んだりするのを防ぐ、棟部分に風の抜ける開口を設けた構造のテントを提供する。
【課題を解決するための手段】
【０００５】  本考案は、そのテントの棟部分に、風の抜ける開口を設けて、強風や突風をその開口か所から出そうとするのである。
【考案の効果】
【０００６】  そのテントの屋根の棟部分に、風の抜ける開口か所が設けてあれば、強風や突風が突然発生して、テントを持ち上げる力が働いても、その開口か所から、強風や突風が通過して、舞い上がることが無いと考えられる。
【考案を実施するための最良の形態】
【０００７】  そのテントの屋根の棟部分の開口か所から、強風や突風が吹き抜ける突然の気象変化以外は、通常のテントとして利用するから、その開口か所は、テントと同布生地で開口より大きめで覆せるようにしておくと良い。覆せる形態は図で示すように、一辺を縫い付け、後の３辺は、雨水等に濡れた時でも、矧がれたりしないマジックテープのような材質が良い。しかもそのマジックテープは、強風や突風が開口か所から吹き抜ける時、簡単に矧がれなければ用を足さないので、簡単に矧がれる構造で良い。【０００８】  又、その開口か所は、テントの大きさに応じて、開口の形態を変えること無く増減をすれば良い。
【図面の簡単な説明】本考案を図面で説明する。【図１】
【０００９】（１）  テントの屋根棟部分の開口か所平面図（２）  テントの屋根棟部分の開口か所の覆せ生地平面図（３）  Ａ  妻側側面図
【符号の説明】
【００１０】  Ａ      妻側  Ｂ      Ａの反対側  Ｃ      ａ−１側  Ｄ      ｂ−１側  １−１  屋根棟部分  １−２  屋根棟部分開口  １−３  屋根棟部分開口覆せ生地  ａ      Ａ  妻側側面図  ａ−１  覆せ生地マジックテープ側  ｂ−１  覆せ生地縫い付け側  １−３−１  強風突風時１−３吹き抜けの状態  １−３−２  マジックテープ  １−３−３  生地縫い付け
【図１】
0003148232.tif 000003
【手続補正書】
【提出日】平成20年10月31日(2008.10.31)
【手続補正１】
【補正対象書類名】実用新案登録請求の範囲
【補正対象項目名】全文
【補正方法】変更
【補正の内容】
【実用新案登録請求の範囲】
【請求項１】
テントの屋根部分に、風の抜ける開口を設けた構造のテント。
【手続補正２】
【補正対象書類名】明細書
【補正対象項目名】０００７
【補正方法】変更
【補正の内容】
【０００７】そのテントの屋根の棟部分の開口か所から、強風や突風が吹き抜ける突然の気象変化以外は、通常のテントとして利用するから、その開口か所は、テントと同布生地で開口より大きめで覆せるようにしておくと良い。覆せる形態は図で示すように、一辺を縫い付け、後の３辺は、雨水等に濡れた時でも、矧がれたりしないマジックテープ（登録商標）のような材質が良い。しかもそのマジックテープ（登録商標）は、強風や突風が開口か所から吹き抜ける時、簡単に矧がれなければ用を足さないので、簡単に矧がれる構造で良い。
【手続補正３】
【補正対象書類名】明細書
【補正対象項目名】００１０
【補正方法】変更
【補正の内容】
【００１０】Ａ  妻側
Ｂ      Ａの反対側
Ｃ      ａ−１側
Ｄ      ｂ−１側
１−１  屋根棟部分
１−２  屋根棟部分開口
１−３  屋根棟部分開口覆せ生地
ａ      Ａ  妻側側面図
ａ−１  覆せ生地マジックテープ（登録商標）側
ｂ−１  覆せ生地縫い付け側
１−３−１  強風突風時１−３吹き抜けの状態
１−３−２  マジックテープ（登録商標）
１−３−３  生地縫い付け
(57)【要約】      （修正有）【課題】蚊や蜂に刺されても、地肌に針がとどかないウエアーを提供する。【解決手段】ポリエステルを発泡させ、繊維状にした素材１を１０ｍｍの厚さにし、表面部に目の細かいネット２と、内部に目の粗いネット３を張り合わせたことを特徴とするウエアーである。蚊や蜂の針の長さは５〜７ｍｍの為、１０ｍｍの厚さにする事により針が地肌にとどきずらくそのため刺されずらい。【選択図】図１
0003148240.tif 000002
【実用新案登録請求の範囲】
【請求項１】
ポリエステルを気泡させ、繊維状にした素材▲１▼の表側部に目の細かいネット▲２▼と内部に目の粗いネット▲３▼張り合わせた通気性がよく、虫の針が肌にとどきにくいウエアーに関する。
【考案の詳細な説明】
【特許文献１】特許公開平１１−２２５６５７
【実用新案の詳細な説明】
【発案に属する技術分野】
【０００１】  本発案は、ポリエステルを発泡させ、繊維状にしたものを１０ミリの厚さにし、ネットを張り合わせた、蚊・蜂の針が肌にとどきにくさらに、通気性の高いウエアーである。
【背景技術】
【０００２】  従来のものは、虫に刺されない為には針を通さないよう固めの繊維で機密性の高いウエアーしかなかった。その為、蚊・蜂が発生する暑い時期には通気性が悪く広く世間で使用される事が少なかった。
【考案が解決しようとする課題】
【０００３】  蚊・蜂の針がウエアーを通さないのではなく、刺されても針が肌にとどかないウエアーにすることにより、通気性が高まり、暑い時期でも広く世間で使用される可能性が広がる。
【図１】
0003148240.tif 000003
【図２】
0003148240.tif 000004
【手続補正書】
【提出日】平成20年12月3日(2008.12.3)
【手続補正１】
【補正対象書類名】明細書
【補正対象項目名】全文
【補正方法】変更
【補正の内容】
【考案の詳細な説明】
【実用新案の詳細な説明】
【特許文献１】  特許公開平１１−２２５６５７
【発案に属する技術分野】
【０００１】  本発案は、ポリエステルを発泡させ、繊維状にしたものを１０ミリの厚さにし、ネットを張り合わせた、蚊・蜂の針が肌にとどきにくくさらに、通気性の高いウエアーである。
【背景技術】
【０００２】  従来のものは、虫に刺されない為には針を通さないよう固めの繊維で機密性の高いウエアーしかなかった。その為、蚊・蜂が発生する暑い時期には通気性が悪く広く世間で使用されることが少なかった。
【考案が解決しようとする課題】
【０００３】  蚊・蜂の針がウエアーを通さないのではなく、刺されても針が肌にとどかないウエアーにすることにより、通気性が高まり、暑い時期でも広く世間で使用される可能性が広がる。
【図面の簡単な説明】
【０００４】
【図１】  本考案の分解図斜視である。
【図２】  本考案の斜視図である。
【符号の説明】
▲１▼    発泡させたポリエステル
▲２▼    網目１ミリのナイロンネット
▲３▼    網目５ミリのナイロンネット
(57)【要約】      （修正有）【課題】渓流つり等で、滑りやすい岩場や急流等を安全に渡ることができ、水難事故防止にも役立つ竿尻を提供する。【解決手段】釣り竿に取り付ける事により、杖に変身させる物で、ステンレス・鉄等で加工する。下部は円錐形にし、内側も径の異なる釣り竿の外径に合わせられるように円錐形の空洞にする。上部は円形のパイプに径の異なる釣り竿に取り付けられるように４等分程度に切れ目を入れ、バンドで釣り竿に固定する。内側は釣り竿に傷が付かないように柔らかい素材で覆い、滑りやすい岩場や急流等を安全に渡る事が出来るように、釣り竿に取り付けるだけで、杖に変える事の出来る竿尻である。【選択図】図１
0003148231.tif 000002
【実用新案登録請求の範囲】
【請求項１】
釣り竿に、本考案を取り付ける事により、杖に変身さす物で、ステンレス・鉄等（硬い物）で加工する、下部は円錐形にし、内側も径の異なる釣り竿の外径に合わせられるように円錐形の空洞にする、上部は、円形のパイプに径の異なる釣り竿に取り付けられるように４等分に（４等分にこだわらなくてもいい）切れ目を入れ、バンドで竿に固定する、内側は竿に傷が付かないように柔らかい素材で覆う、滑りやすい岩場や急流等を安全に渡る事が出来るように、釣り竿に取り付ける  だけで、杖に変える事の出来る竿尻。
【考案の詳細な説明】
【技術分野】
【０００１】  本考案は、釣り竿に取り付けるだけで、釣り竿が杖に変身する。
【背景技術】
【０００２】  釣り人が、滑りやすい岩場や急流等を渡るのに、滑って流されたり、怪我をして苦労をしている。
【考案の開示】
【考案が解決しようとする課題】
【０００３】  渓流つり等で、滑りやすい岩場や急流等を渡るのに、釣り人が苦労をしている。又、滑って流されて事故に遭う方も多い。
【課題を解決するための手段】
【０００４】  本考案を釣り竿に装着し、釣り竿を杖の代わりとして、滑りやすい岩場や急流等を安全に渡る事が出来、水難事故防止にも役立つ。
【考案の効果】
【０００５】  本考案を利用する事で、楽しく、安全に釣りを楽しむ事が出来、家族や仲間が安心出来る。
【考案を実施するための最良の形態】
【０００６】  本考案を完全に釣り竿に装着し、岩場や急流等を、釣り竿を利用して渡る。
【図面の簡単な説明】
【０００７】
【図１】本考案の物干し具の側面図
【符号の説明】
【０００８】  １竿尻
２竿尻の展開図
３バンド
４釣り竿
【図１】
0003148231.tif 000003
【手続補正書】
【提出日】平成20年10月27日(2008.10.27)
【手続補正１】
【補正対象書類名】実用新案登録請求の範囲
【補正対象項目名】全文
【補正方法】変更
【補正の内容】
【実用新案登録請求の範囲】
【請求項１】
釣り竿に、本考案を取り付ける事により、杖に変身さす物で、ステンレス・鉄等で加工する、下部は円錐形にし、内側も径の異なる釣り竿の外径に合わせられるように円錐形の空洞にする、上部は円形のパイプに径の異なる釣り竿に取り付けられるように４等分程度に切れ目を入れ、バンドで釣り竿に固定する、内側は釣り竿に傷が付かないように柔らかい素材で覆う、滑りやすい岩場や急流等を安全に渡る事が出来るように、釣り竿に取り付けるだけで、杖に変える事の出来る竿尻。
(57)【要約】      （修正有）【課題】時間と場所を選ばずいつでもどこでも疲れをいやし小型で持ち運びに便利なクッションローラーマッサージ補助具を提供する。【解決手段】クッション材を付けたローラーを前後に設け、ローラーの両端に側板をボルトで接続させてローラーが滑らかに回転できる程度に調整して固定し、ローラーの両端に取り付けた側板の中央を連結棒の両端に接続固定して組み立てた器具の連結棒を握り身体にあてがい、滑らかに回転移動させることができて身体をマッサージすることを特徴としたクッションローラーマッサージ補助具である。【選択図】図１
0003148236.tif 000002
【実用新案登録請求の範囲】
【請求項１】
クッションシートを巻いたローラーを前後にしてローラーの両側に側板をボルト止めして両側の側板の中央を丸棒にて連結ネジ止する
【考案の詳細な説明】
【技術分野】
【０００１】本考案は疲れた身体をいやすための器具でいつでもどこでも場所を選ばず使用できるマッサージ補助具に関するものである
【背景技術】
【０００２】従来疲れた身体をいやすのにマッサージ院へ行く又は家庭、職場で大型のマッサージ器具を使いマッサージする等して身体をいやしていた。
【考案の開示】
【考案が解決しょうとする課題】
【０００３】時間と場所を選ばずいつでもどこでも一人で身体のいやしのマッザージができて疲れがたまらない様に管理ができる物はできていない本考案は以上の間題点を解決するためになされたものである。
【課題を解決するための手段】
【０００４】クッションシートを巻いたローラーを前後にしてローラーの両側に側板をボルト止めして両側の側板の中央を丸棒にて連結ネジ止めする
【考案の効果】
【０００５】本考案を使用するには連結棒をにぎりクッションシートを巻いたローラー部を身体に押しあてローラーを回転移動させ身体全体をマッサージすることにより身体全体をリラックスさせることができる又相手がいて使用する場合は手の届かない所もローラーマッサージができて身体をいやすことができる
【考案を実施するための最良の形態】
【０００６】以下本考案の実施の形態を説明する
（イ）ローラー（１Ａ）（１Ｂ）にクッション材（３）を貼り付側板（２Ａ）（２Ｂ）にボルト穴（５）とネジ穴（６）を開け連結棒（４）をネジ穴（６）に合わせてネジ（６）止めしローラー（１Ａ）（１Ｂ）の側面の中心をボルト穴（５）に合わせてボルト（５）止めしてローラー（１Ａ）（１Ｂ）の側面と側板（２Ａ）（２Ｂ）の間に座金（７）をセットしてローラー（１Ａ）（１Ｂ）の回転がスムーズになる様にする
本考案は以上の構成よりなる
本考案を使用するときは連結棒（４）を手でつかみクッション材（３）付ローラー（１Ａ）（１Ｂ）を身体に押しあてローラー（１Ａ）（１Ｂ）を前後左右に移動させ全身をマッサージすることができる２人で使用すれば１人ではマッサージできない所もお互いにマッサージすることができいつでもどこでも場所を選ばず全身をリラックスさせることができる小型で軽く持ち運びに便利である
【図面の簡単な説明】
【０００７】
【図１】本考案の斜視図
【図２】本考案の側面図
【図３】本考案の前面と後面図は同じ図
【図４】本考案の真上よりの図
【符号の説明】
【０００８】（１Ａ）（１Ｂ）ローラー（２Ａ）（２Ｂ）側板（３）クッション材
（４）連結棒（５）ボルト穴とボルト（６）ネジ穴とネジ
（７）座金
【図１】
0003148236.tif 000003
【図２】
0003148236.tif 000004
【図３】
0003148236.tif 000005
【図４】
0003148236.tif 000006
【手続補正書】
【提出日】平成20年10月31日(2008.10.31)
【手続補正１】
【補正対象書類名】実用新案登録請求の範囲
【補正対象項目名】全文
【補正方法】変更
【補正の内容】
【実用新案登録請求の範囲】
【請求項１】
クッション材を付けたローラーを前後に設けローラーの両端に側板をボルトで接続させてローラーが滑らかに回転できる程度に調整して固定しローラーの両端に取り付けた側板の中央を連結棒の両端に接続固定して組み立てた器具の連結棒を握り身体にあてがい滑らかに回転移動させることができて身体をマッサージすることを特徴としたクッションローラーマッサージ補助具
(57)【要約】      （修正有）【課題】自動車の運転席にある車内灯を、運転席のペンホルダーの中に設置したスイッチを、筆記具の挿抜によりＯＮ・ＯＦＦして、車内での読み書きに必要な時間を短縮できるペンホルダーを提供する。【解決手段】車内灯のスイッチをペンホルダーに内蔵する。ボールペン等の軸が絶縁体４を介してスイッチ部分の金属片３は、バネ状の動きで接点６と開閉しスイッチとしての機能を果し、又、ペンホルダーとしての機能も合せ持つ構造とする。【選択図】図１
0003148218.tif 000002
【実用新案登録請求の範囲】
【請求項１】
ペンホルダーの内部の側壁部又は底部もしくは、ペンの差し込み口に照明器具のスイッチを内蔵したペンホルダー
【考案の詳細な説明】
【技術分野】
【０００１】  本考案は自動車の運転席の車内灯のスイッチと、運転席備えつけのペンホルダーに関する考案である
【背景技術】
【０００２】  運転席の車内灯のスイッチと、運転席備えつけのペンホルダーは、それぞれ単独の機能である
【考案の開示】
【考案が解決しようとする課題】
【０００３】  夜間等に、運転席で書き物等をする場合の必要動作を半分に短縮する
【課題を解決するための手段】
【０００４】  車内灯のスイッチをペンホルダーに内蔵する
【考案の効果】
【０００５】  ペンホルダーから、ボールペン等を取り出せば内蔵されたスイッチが作動し、車内灯が点灯する。よって必要動作は半分に短縮される。
又、書き物終了後は、ボールペン等をペンホルダーに戻せば内蔵されたスイッチが作動し車内灯は消灯する。よって書き物終了後の必要動作も半分に短縮される
【考案を実施するための最良の形態】
【０００６】（イ）ペンホルダー本体（１）の側壁部に切り込み（２）を設け、そこにスイッチの一方となる金属片（３）に固定された絶縁体（４）の頂頭部は、ペンホルダー本体（１）の内径より内側に設定する。
（ロ）スイッチ部分の一方である金属片（３）の片端はペンホルダー本体（１）に固定されていて、バネ状の動きが可能である。
（ハ）ペンホルダー本体（１）よりボールペン等（５）を取り出し、書き物をしている状態ではバネ状の動きをするスイッチ部分の金属片（３）は、接点（６）と接触し、接続されている照明は点灯状態である。
（ニ）書き物を終了しボールペン等（５）をペンホルダー本体（１）に戻すとボールペン等（５）の軸が絶縁体（４）を介しスイッチ部分の金属片（３）は、接点（６）から分離するので、接続されている照明は消灯する。
【図面の簡単な説明】
【０００７】
【図１】断面図である
【符号の説明】
【０００８】１、ペンホルダー本体  ２、側壁部切り込み  ３、スイッチ部分の金属片  ４、絶縁体  ５、ボールペン等  ６、接点  ７、スイッチの金属片（３）からの出力口  ８、接点（６）への入力口
【図１】
0003148218.tif 000003
【手続補正書】
【提出日】平成20年8月8日(2008.8.8)
【手続補正１】
【補正対象書類名】実用新案登録請求の範囲
【補正対象項目名】全文
【補正方法】変更
【補正の内容】
【実用新案登録請求の範囲】
【請求項１】
（イ）自動車の車内灯の点灯・消灯のスイッチ操作は、ボールペン等の軸で行える構造及び回路を有する運転席備えつけのペンホルダー。（図１）
（ロ）ペンホルダーよりボールペン等を取り出すと車内灯は点灯し、ボールペン等をペンホルダーに戻すと車内灯は消灯する、運転席備えつけのペンホルダー。
【手続補正書】
【提出日】平成20年10月21日(2008.10.21)
【手続補正１】
【補正対象書類名】実用新案登録請求の範囲
【補正対象項目名】全文
【補正方法】変更
【補正の内容】
【実用新案登録請求の範囲】
【請求項１】
運転席備えつけのペンホルダーのボールペン等を収納する円筒状の部分に、ボールペン等が差し込まれている時と、いない時の差を検出して作動するスイッチを組み込み、車内灯のスイッチとすることで、車内灯のスイッチを内蔵した運転席備えつけのペンホルダー。
(57)【要約】【課題】複数の宅配メニュー、あるいは、困った時・緊急時の電話番号一覧（ライフサポートインフォメーション）を掲載、また、本媒体に宅配メニューのクーポン券を付けること等で付加価値を意識し、一般的なチラシ広告と違い保存性の高い紙媒体を提供する。【解決手段】通常の販促紙媒体と違い、厚手の用紙を使用、配布エリアに特化した複数の宅配メニューや、困った時・緊急時の電話番号一覧（ライフサポートインフォメーション）を見やすく掲載し、ポケットおよびクーポンを付けることによって保存性・利便性を追及している。【選択図】図７
0003148215.tif 000002
【実用新案登録請求の範囲】
【請求項１】
新聞の折り込み、ポスティング等で配布される宅配メニュー、あるいは困った時・緊急時の電話番号一覧（ライフサポートインフォメーション）を合体させた、保存性・利便性を目的とした４ページ以上の紙媒体。
【請求項２】
表紙および裏表紙に企業広告を掲載、保存性が高いという特徴により、捨てられない＝環境に優しい、販促を目的とした請求項１に記載の紙媒体。
【請求項３】
センターにポケット機能を付け、他社の広告チラシ、宅配メニューを入れて保存を可能とした請求項２に記載の紙媒体。
【請求項４】
ポケット部分等に掲載メニュー会社のお得なクーポンを付け利用促進を図り、付加価値を意識した請求項３に記載の紙媒体。
【考案の詳細な説明】
【技術分野】
【０００１】  本考案は、保存性・利便性の高い複合宅配メニューあるいは電話帳を合体させた紙媒体に関するものである。
【背景技術】
【０００２】  新聞の折り込み、ポスティング等で販促を目的とした印刷物が大量に配布されるが、すぐ捨てられる等、効果的な販促ができていない。【０００３】  宅配メニューのチラシについて各家庭等で保存するも、あまりにも情報量が多く整理ができていない。【０００４】  いざという時にどこに電話をかけていいのか分からない状況が日常生活の中では多々あるが、毎回分厚い電話帳を広げる手間がかかるうえ、情報が溢れすぎていて実際に必要な情報のみを検索するまでに時間がかかってしまう。
【考案の開示】
【考案が解決しようとする課題】
【０００５】  本考案では請求項１に記載の通り、大量に配布されている宅配メニュー、企業広告の散漫を解決しようとするものであり、緊急連絡先等の電話番号と合体させることによって、保存性・利便性を追及。
【課題を解決するための手段】
【０００６】  厚みのある用紙（四六判１１０ｋｇ程度）を使用、表紙まわりにニス加工を施すなど高質感・耐久性を追及。【０００７】  地域に特化した人気の宅配メニューを複数掲載、保存性を高める。【０００８】  ポケットを付け、必要な情報を保存できるファイル機能を設け、また、困った時・緊急時の電話番号一覧（ライフサポートインフォメーション）を掲載することによって課題を解決している。
【図面の簡単な説明】
【０００９】
【図１】本考案４ページ仕様の全体図である
【図２】本考案４ページ仕様の掲載内容の表面展開図である
【図３】本考案４ページ仕様の掲載内容の中面展開図である
【図４】本考案６ページ仕様の全体図である
【図５】本考案６ページ仕様の掲載内容の表面展開図である
【図６】本考案６ページ仕様の掲載内容の中面展開図である
【図７】本考案８ページ仕様の全体図である
【図８】本考案８ページ仕様の掲載内容の表面展開図である
【図９】本考案８ページ仕様の掲載内容の中面展開図である
【符号の説明】
【００１０】１  表紙
２  裏表紙
３  宅配メニュー１もしくは電話帳
４  ポケット
１ａ  表紙
２ａ  裏表紙
３ａ  宅配メニュー１もしくは電話帳
４ａ  ポケット
５ａ  宅配メニュー２
１ｂ  表紙
２ｂ  裏表紙
３ｂ  宅配メニュー１
４ｂ  ポケット
５ｂ  宅配メニュー２
６ｂ  宅配メニュー３もしくは電話帳
【図１】
0003148215.tif 000003
【図２】
0003148215.tif 000004
【図３】
0003148215.tif 000005
【図４】
0003148215.tif 000006
【図５】
0003148215.tif 000007
【図６】
0003148215.tif 000008
【図７】
0003148215.tif 000009
【図８】
0003148215.tif 000010
【図９】
0003148215.tif 000011
【手続補正書】
【提出日】平成20年6月16日(2008.6.16)
【手続補正１】
【補正対象書類名】実用新案登録請求の範囲
【補正対象項目名】請求項１
【補正方法】変更
【補正の内容】
【請求項１】
新聞の折り込み、ポスティング、郵送、街頭及び店頭、あるいは営業の者によって配布される宅配メニュー、困った時・緊急時の電話番号一覧（ライフサポートインフォメーション）を合体させた、保存性・利便性を目的とした４ページ以上の紙媒体。
【手続補正２】
【補正対象書類名】実用新案登録請求の範囲
【補正対象項目名】請求項３
【補正方法】変更
【補正の内容】
【請求項３】
センターにポケット機能を付け、広告チラシ、宅配メニューを入れて保存を可能とした請求項２に記載の紙媒体。
【手続補正３】
【補正対象書類名】実用新案登録請求の範囲
【補正対象項目名】請求項４
【補正方法】変更
【補正の内容】
【請求項４】
ポケット部分または本紙、あるいは同梱されるチラシに掲載メニュー会社のお得なクーポンを付け利用促進を図り、付加価値を意識した請求項３に記載の紙媒体。
【手続補正書】
【提出日】平成20年10月14日(2008.10.14)
【手続補正１】
【補正対象書類名】実用新案登録請求の範囲
【補正対象項目名】全文
【補正方法】変更
【補正の内容】
【実用新案登録請求の範囲】
【請求項１】
新聞の折り込み、ポスティング、郵送、街頭及び店頭、あるいは営業の者によって配布される宅配メニューと、困った時・緊急時の電話番号一覧（ライフサポートインフォメーション）を、表紙と裏表紙以外のほぼページ全体に配置した、保存性・利便性を目的とした４ページ以上の紙媒体。
【請求項２】
表紙及び裏表紙の上部に企業広告を掲載し、保全性が高いという特徴により、捨てられない＝環境に優しい、販促を目的とした請求項１に記載の紙媒体。
【請求項３】
センターにポケット機能を付け、広告チラシ、宅配メニューを入れて保存を可能とした請求項２に記載の紙媒体。
【請求項４】
ポケット部分はたは本紙、あるいは同梱されるチラシに掲載メニュー会社のお得なクーポン券を付け利用促進を図り、付加価値を意識した請求項３に記載の紙媒体。
【請求項５】
ポケット部分は型抜きし折り込み、ポケット部分に付けたクーポン券に、ミシン目を入れることで使いやすさを追及した請求項４に記載の紙媒体。
(57)【要約】      （修正有）【課題】お玉に載せた食材を素早くかつ溶かし損ないがないようにできるお玉杓子を提供する。【解決手段】お玉杓子の柄の近傍のお玉部分に、多数穴を設け、お玉本来の“すくう”“注ぐ”機能を損なわずに、味噌などの食材を溶かしながら、鍋に流し出せるようにしたお玉杓子のお玉２０は、お玉杓子の柄１０近傍のお玉の部分に、穴１を開けるとお玉の部分で溶かした食材をお玉部分から流し出すことができる。【選択図】図１
0003148288.tif 000002
【実用新案登録請求の範囲】
【請求項１】
お玉杓子の柄の近傍のお玉部分に、多数穴を設け、お玉本来の“すくう”“注ぐ”機能を損なわずに、味噌などの食材を溶かしながら、鍋に流し出せるようにしたお玉杓子。
【考案の詳細な説明】
【技術分野】
【０００１】１）本考案は、お玉杓子の本来の機能である“すくう”“注ぐ”機能を損なわず、お玉杓子のお玉部分で食材を溶かし、その溶かした食材をその穴を通してお玉から流し出せるように、お玉杓子の柄の近傍に多数孔を設けたお玉杓子に関する。
【背景技術】
【０００２】１）従来のお玉杓子では、お玉で溶かした食材のみを素早くお玉から流し出すことができなかった。（図２）
【考案の開示】
【考案が解決しようとする課題】
【０００３】１）従来のお玉杓子では、例えば味噌汁を溶かす場合、別器具を使って味噌を溶かすか、お玉杓子で溶かす場合は十分溶かしきることができない状態で、味噌を鍋に混ぜることになる。
【課題を解決するための手段】
【０００４】１）そこで、“すくう”“注ぐ”機能を損なわず、溶かした味噌のみを素早くかつ別容器を使わず、お鍋に入れることができるよう、お玉杓子の柄の近傍のお玉の部分に、多数穴、例えば直径４ミリ程度の穴を数個（１０個程度）設けたお玉杓子を考案した。（図１）
【考案の効果】
【０００５】１）よって、この機能により、お玉杓子の本来の機能である“すくう”“注ぐ”機能を損なわず、お玉に載せた食材を素早くかつ溶かし損ないがないようにできる。
【考案を実施するための最良の形態】
【０００６】１）本考案に係る機能を持つお玉杓子のお玉２０は、図１に示すように、お玉杓子の柄１０近傍のお玉の部分に、穴１を開けるとお玉の部分で溶かした食材を“すくう”“注ぐ”機能を損なわずにお玉部分から流し出すことができる。
【図面の簡単な説明】
【０００７】
【図１】本考案に係る装置を搭載したお玉杓子のお玉の図である。
【図２】従来の一般的なお玉杓子のお玉の図である。
【符号の説明】
【０００８】１    孔
１０    お玉杓子の柄
２０    お玉杓子のお玉
【図１】
0003148288.tif 000003
【図２】
0003148288.tif 000004
(57)【要約】      （修正有）【課題】尿漏れ対応パンツ特有の着ぶくれがして、履き心地や通気性が悪いという欠陥を改善して、軽量化と使いやすさを図った軽度尿漏れ対応パンツを提供する。【解決手段】パンツ本体に吸水性パットを縫い込んで一体化することをせず、パンツ本体の裏側にネット地の吸水性パット収納ポケットを作ることによって、薄い小型の吸水性パットの使用と交換を可能にし、また粘着性接着剤による陰毛の絡みつきを防止する。メリヤス生地やメッシュ生地、ネット生地を使って通気性と軽量化を実現する。【選択図】図１
0003148286.tif 000002
【実用新案登録請求の範囲】
【請求項１】
従来から市販されている尿漏れ対応パンツが分厚くゴワゴワして嵩も高く、通気性も悪いので、尿漏れが軽度の人には使いにくいという欠点があり、それを解決するために泌尿器が接触するパンツ本体の裏面の一部分にネット布地を縫合してポケットを作り、そこに小型の吸水性パットを挿入して軽度の尿漏れに対応する軽量で通気性も良く、また吸水性パットの交換もできるパンツ。
【考案の詳細な説明】
【技術分野】
【０００１】本考案は、従来の尿漏れ対応パンツ特有の嵩高く、ゴワゴワして重く、着ぶくれして通気性も悪いという欠陥を改善した、軽度尿漏れ対応パンツに関するものである。
【背景技術】
【０００２】尿漏れ対策用として吸水性パットをパンツ本体に縫い込んで一体化した製品が市販されているが、重量があり、嵩高く、着ぶくれするために使用しにくい。また通気性もない。
【考案の開示】
【考案が解決しようとする課題】
【０００３】１．旧来品の分厚くて重く、ゴワゴワして嵩だかく、通気性も悪いという欠点を解消する    。
２．小型かつ薄型の吸水パットの使用を可能にする。
３．吸水性パットの交換を可能にする。
４．軽量で通気性の良いパンツにする。
５．吸水性パットの粘着性接着剤が、陰毛に絡む危険を解消する。
６．軽度の尿漏れ障害者が、気軽に使えるパンツにする。
【課題を解決するための手段】
【０００４】１．泌尿器が接触するパンツ本体の前部裏側に、ネット生地のパット収納ポケットを作る    。
２．吸水性パットは小型で薄手のものを使用し、交換できるようにする。
３．泌尿器取り出し用開口部は、内側のパンツ本体生地の縁とネット生地を縫合して泌尿    器が本体生地とネット生地の間に紛れ込むのを防ぐ。
４．パンツ本体にメリヤス生地、またはメッシュ生地を使用する。
５．冬用の本体生地には、遠赤外線加工布を使用する。
【考案の効果】
【０００５】１．吸水性パットをパンツ本体に縫い込まないので、着ぶくれして履き心地が悪く、通気    性も悪いという旧来品のもつ欠陥が改善される
２．パンツ本体の裏側に吸水性パットを収納するネット地ポケットを作ることによって、    粘着性接着剤が陰毛に絡みつく障害を防止でき、肌触りも良い。
３．小型で薄い吸水性パットの使用と交換が容易になる。
４．薄手のメリヤス生地やメッシュ生地を使用することによって本体の軽量化と通気性が    改善され、旧来品のように着ぶくれ感がないので尿漏れ対応パンツに違和感を持つ人    にも利用されやすくなる。
５．メッシュ生地を本体に使用した時は、夏用として有効なパンツができる。
６．冬用のパンツ本体に、遠赤外線加工布を使用することによって保温効果が確保できる    。
７．パンツ本体が薄く軽量化されるために、手軽に洗濯ができて乾きも早い。
【考案を実施するための最良の形態】
【０００６】  肌着業界の従来技術だけで製造することが可能である。但し、使用する付属品に関して工業所有権が確立しているものがあれば、必要に応じて利用契約を結べばよい。
【実施例】
【０００７】  以下、添付図面にしたがって実施例を説明する。
図１はパンツ本体を裏返しにして腹側から見た正面図で、ネット生地の吸水性パット収納用ポケットを装着した状態を示す図面である。太線は本体生地とネット生地の縫合箇所を示しており、パット挿入用の開口部は点線で示している。
【図面の簡単な説明】
【０００８】
【図１】パンツ本体の前半分――腹側を裏返しにして見た平面図
【符号の説明】
【０００９】  １．伸縮ベルト
２．ａ．ｂ．ｃ．本体の生地
３．ネット生地の吸水性パット収納ポケット
４．本体生地とネット生地の縫合箇所――太線で示す。
５．吸水性パットの挿入用開口部
６．泌尿器の出し入れ口
【図１】
0003148286.tif 000003
(57)【要約】      （修正有）【課題】板厚アクリル樹脂板を柔軟性を持たせた薄板アクリル樹脂シートに置換することにより、その柔軟性を利用して平面体のみならず曲面体形状とすることもできる発光ダイオード照明装置を提供する。【解決手段】複数個の発光ダイオードを並列に接続して配列したプリント基板を予め反射シートを貼付した絶縁シートの所定端に配置するとともに所要寸法の柔軟性を持たせたアクリル樹脂シートをこれの表面に貼付したフィルムで覆い発光ダイオードに電圧を印加して点灯するように構成した発光ダイオード照明装置である。【選択図】図３
0003148283.tif 000002
【実用新案登録請求の範囲】
【請求項１】
複数個の発光ダイオードを並列に接続して配列したプリント基板を予め反射シートを貼付した絶縁シートの所定端に配置するとともに所要寸法にの柔軟性を持たせたアクリル樹脂シートをこれの表面に貼付したフィルムで覆い発光ダイオードに電圧を印加して点灯するように構成したことを特徴とする発光ダイオード照明装置。
【請求項２】
柔軟性を持たせたアクリル樹脂シートの表面に貼付したフィルムに予め画像、文字等を施したフィルムを用いることで広告媒体としてするように構成したことを特徴とする請求項１の記載の発光ダイオード照明装置。
【考案の詳細な説明】
【技術分野】
【０００１】本考案は、省電力用照明器具として普及されている発光ダイオード照明装置の改良に関する。
【背景技術】
【０００２】最近、この種の発光ダイオードを用いた照明装置は、発熱量、消費電力等の面からその利用範囲が急速に拡大しつつある。
また、照明装置としてのサイズも小型のものから大型化のものへと需要も移行傾向にあるとともにその応用用途も種々になってきている。
従来これを構成する発光ダイオード照明装置は、図１のように、例えば表面に反射板５を貼付した所要寸法の板厚のアクリル樹脂板１上の一端に複数個の発光ダイオード２を並列に接続配設したプリント基板３を設置し、この表面にフィルム４を貼付した前記板厚のアクリル樹脂板１を配置しこれらに電圧を印加し光源を得て照明装置としているものが公知とされている。【０００３】しかしながら、このように構成されている従来の発光ダイオード照明装置には次のような問題点がある。
（１）構成上、本体を形成しているいるアクリル樹脂板は柔軟性がなく平面体構造のもの      しか製作がされていない。
（２）従って寸法が大型化したものでは重量に制限を受けたり、製造上、加工が困難とな      る要素が多いこと等から必然的に製作不可能となる。
また、応用効果も期待できない。
（３）曲面体構成品も製作可能だが、曲面が既成寸法都なるため使用範囲が狭まり、任意      の曲面施工が困難である。
【考案の開示】
【考案が解決しようとする課題】
【０００４】本考案は上述の問題点を除去するためになされたものであり、板厚のアクリル樹脂板を柔軟性をもつアクリル樹脂シートに置換することにより、その柔軟性を利して平面体のみならず曲面体の形状と寸法の大型化を図れる。
また、施工場所、方法に制限が少ない発光ダイオード照明装置の提供を目的としたものである。
【課題を解決するための手段】
【０００５】本考案は従来の板厚のアクリル樹脂板を柔軟性をもつアクリル樹脂シートに置換することにより解決されたものであり、複数個の発光ダイオードを並列に接続して配列したプリント基板を予め反射シートの所要端に配置するとともに所要寸法の柔軟性をもたせたアクリル樹脂シートをこれの表面に貼付したフィルムで覆い発光ダイオードに電圧を印加して構成してなる照明装置を提供する。
【考案の効果】
【０００６】柔軟性をもつアクリル樹脂シートには、その裏面に施されている所要数のエンボスに発光ダイオードの光が乱反射することから照明度及び照明効率も極めて良好となる。
【考案を実施するための最良の方法】
【０００７】以上のように本考案の発光ダイオード照明装置では、絶縁シートの一端の発光ダイオードのプリント基板は任意の方法で固定できることから着脱、落下等で欠落することはなく耐衝撃性、耐震性も良好である。
【実施例】
【０００８】以下、本考案の一実施例を説明すると次のようである。
図２は本考案の柔軟性をもつアクリル樹脂シートを用いた発光ダイオード照明装置の斜視図であるが、同図（イ）のように１１は柔軟性をもつアクリル樹脂シート、１２は発光ダイオード、１３はプリント基板、１４はフィルム、１５は絶縁シート、１６は反射シールからなる。本考案はこれらを組み合わせることにより従来の平面体の構成のみならず、同図（ロ）のような曲面体の構成も可能となり、図示のように円柱あるいは円筒体Ａ形状のものへも取付けが可能となる。【０００９】具体的な組み合わせの構成について説明すると、図３の断面図に示すように先ず１５の絶縁シートにとこれの表面に貼付した反射シール１６の一端に１２の発光ダイオードを並列に接続配設した１３のプリント基板を固定する。
なお、一端の発光ダイオードから前記により点灯された光は、柔軟性をもつアクリル樹脂シート１１内で、前記アクリル樹脂シート１１下面のエンボス１１ａと反射シール１６の屈折、乱反射により光輝状態を維持し、照明度が保持される。【００１０】応用的な面からみて例えば薄板アクリル樹脂シートの表面に貼付するフィルムに予め画像、文字を施したフィルムを用いれば広告媒体とすることができる。【００１１】１２の発光ダイオードへの電圧の印加はこれのプラス、マイナス極の並列接続（図示はしていない）で入、切されるのはいうまでもない。
以上のように本考案の発光ダイオード照明装置は、その構成も簡単なことから、製作上も容易であり、照明装置が大型化しても従来のような板厚のアクリル樹脂板を使用しないで済み、アクリル樹脂そのものに柔軟性をもたせることにより、大型のものでも寸法的な制限を受けることもなく自在の曲面施工が可能となる。
【図面の簡単な説明】
【００１２】
【図１】従来の発光ダイオード照明装置の斜視図
【図２】本考案の発光ダイオード照明装置の斜視図
【図３】本考案の発光ダイオード照明装置の構造を示す断面図
【符号の説明】
【００１３】  １１  薄板アクリル樹脂シート
１２  発光ダイオード
１３  プリント基板
１４  フィルム
１５  絶縁シート
１６  反射シート
【図１】
0003148283.tif 000003
【図２】
0003148283.tif 000004
【図３】
0003148283.tif 000005
(57)【要約】      （修正有）【課題】ＡＥＤ、簡易型酸素マスク、応急処置用具、殺菌タオル、消火器、を収納ボックスに収納し、心肺停止の重症患者へＡＥＤによる心肺蘇生が誰でも使用出来るようにした緊急時看護補助装置を提供する。【解決手段】緊急時看護補助装置本体収納ボックス１の上部に２０インチ液晶ＪＶＭモニター４を設け、常時その必要性と処置方法が理解できるように放映する。電源１３をコンセントから簡易に外れるようにし、収納ボックス下部にキャスター１２を具備し１秒でも早く心肺蘇生を必要とする重症患者近くへ移動でき、収納ボックス前面の蓋体は開閉自在で収納棚のＡＥＤや応急処置用具等はすぐに使用できるようにしている。設置協賛企業の社会的意義と広告宣伝ＣＭの放映メリットで、広く普及し、多くの人の心肺蘇生の応急処置に役立つ。【選択図】図１
0003148492.tif 000002
【実用新案登録請求の範囲】
【請求項１】
緊急時看護補助用具のＡＥＤ（自動対外式除細動器）、簡易型酸素マスク、応急処置用具、殺菌タオル、消火器、を収納ボックスに収納棚を設け収納し、その前面に蓋体を開閉自在に具備し、当該収納ボックス上部に液晶ＪＶＭモニタ−を備え、突然の心肺停止にＡＥＤによる心肺蘇生の必要性、処置方法と設置協賛企業のＣＭ等の映像収録ＳＤカ−ドをモニタ−にセットしリモコン操作で自在に放映し、当該収納ボックス下部に移動用キャスタ−を設けたところを特徴とする緊急時看護補助装置。
【考案の詳細な説明】
【技術分野】
【０００１】  本考案は、緊急時看護補助用具の収納ボックスに液晶モニタ−電源コ−ド、キャスタ−を設けた、緊急時看護補助装置に関するものである。
【背景技術】
【０００２】  病院以外で突然の心肺停止による死亡者が年間３万人と言われ、交通事故による死亡者数の１万人を大きく上回っている、救急車が現場に到着する平均時間が６分、心肺停止後１分遅れるごとに１０％の救命減少といわれ、早くに緊急時看護補助用具のＡＥＤによる除細動処置を行えば救命率が格段に上がるが、その必要性や理解、設置が遅れている。
【考案の開示】
【考案が解決しようとする課題】
【０００３】  心肺停止状態で病院に搬送された重症患者の９７％が、ＤＯＡ到着時死亡の手遅れになっている、１秒でも早く心肺蘇生を必要とする、しかし、近くに緊急時看護補助用具のＡＥＤがない、また、救命処置の心肺蘇生に不慣れで誰もがＡＥＤを素早く使用できる状況でなかった、従って、緊急時看護補助用具とモニタ−を備えた収納ボックスを設け、ＡＥＤによる心肺蘇生の必要性と処置方法を放映する、また、緊急時看護補助装置の設置協賛企業のイメ−ジアップと広告宣伝のメリットにより多くの場所に普及するようになり、前述の欠点を解決しようとするものである。
【課題を解決するための手段】
【０００４】  本考案は、ＡＥＤ、簡易型酸素マスク、応急処置用具、殺菌タオル、消火器の緊急時看護補助用具と収納ボックスを設け、その前面は蓋体を開閉自在になるようにし、収納棚を備え、且つ、その上部に２０インチ液晶モニタ−を備え、映像収録のＳＤカ−ドをセットする、放映順等はリモコンで設定でき、緊急時看護補助用具の必要性や処置方法と設置協賛企業の広告宣伝は随時放映でき、緊急時看護補助装置収納ボックスの下部にキャスタ−を具備し、心肺停止の重症患者近くへ早期に移動できることで問題点を解決している。
【考案の効果】
【０００５】  上述の様に、本考案の緊急時看護補助装置のＥＡＤや消火器等を使用できる事は勿論、収納ボックスに一体化し、その上部に設置したモニタ−によりＡＥＤや応急処置用具、簡易型酸素マスクの必要性や心肺蘇生の処置方法を常時放映することにより誰もが適切にでき、また、設置、協賛企業のイメ−ジアップと広告宣伝メリットにより広く普及するようになり、早く正確な救命処置装置として役立つ。
【考案の実施するための最良の形態】
【０００６】    緊急時看護補助装置本体の収納ボックスを縦長に設置し、その前面に開閉自在の蓋体と内部に収納棚を設け、緊急時看護補助用具のＡＥＤ，簡易型酸素マスク、応急処置用具、殺菌タオル、消火器を収納し、その上部に２０インチ液晶ＪＶＭモニタ−を備え、ＡＣ電源をコンセントから簡易に外れるようにし、収納ボックス下部にストッパ−付きキャスタ−を具備し簡易に移動し易くし、収録映像のＳＤメモリ−カ−ドをモニタ−にセットし、緊急時看護補助装置の必要性や処置方法，企業ＣＭの放映設定等もリモコンで自在となる。
【実施例】
【０００７】    以下、添付図面に従って一実施例を説明する。１はプラスチックや木材等の耐久性のある適宜素材で形成する緊急時看護補助装置本体収納ボックス、２は収納棚で、７のＡＥＤ，８の簡易型酸素マスク、９の応急処置用具、１０の殺菌タオル、１１の消火器を収納する、この収納室前面の蓋体３は開閉自在となる。４は２０インチ液晶ＪＶＭモニタ−で収納ボックス上部に備え、５のＣＦ，ＳＤメモリ−カ−ドをセットし、６のリモコンで収録順等を設定し放映する。【０００８】    １３はモニタ−に接続のＡＣ電源で、１１のキャスタ−により緊急時看護補助装置本体収納ケ−スを移動時は簡易にコンセントから外れる。【０００９】    本考案の一実施例は上述の如き構成からなるものであるから、突然の心肺停止の重症患者の心肺蘇生に対応できる緊急時看護補助用具を収納ボックスに備え、日常的にその必要性や処置方法を理解できるようにモニタ−で常時放映し、ＡＥＤや応急処置用具等を誰でもすぐに使用できるようにしている。
【図面の簡単な説明】
【００１０】
【図１】  本考案の緊急時看護補助装置の一実施例を示す斜視図である。
【図２】  本緊急時看護補助用具を収納した一実施例を示す斜視図である。
【符号の説明】
【００１１】１    緊急時看護補助装置本体収納ボックス
２    収納棚
３    蓋体
４    ２０インチ液晶ＪＶＭモニタ−
５    ＣＦ，ＳＤメモリ−カ−ド
６    リモコン
７    ＡＥＤ（自動対外式除細動器）
８    簡易型酸素マスク
９    応急処置用具
１０  殺菌タオル
１１  消火器
１２  キャスタ−
１３  ＡＣ電源
【図１】
0003148492.tif 000003
【図２】
0003148492.tif 000004
(57)【要約】      （修正有）【課題】携帯用バックをたたみ易くし、鞄等のアクセサリーとしても使用できる、プリーツ加工アクセサリー型の携帯バックを提供する。【解決手段】布地又は柔軟性樹脂生地からなる上部を開口した袋状のバック本体１において、バック本体１の胴部並びに吊り部全体を横方向に蛇腹状に折りたたみ可能とするプリーツ加工部２とし、バック本体１の上部に吊り部３を設け、バック本体１の表面下部の一方の端の角部に花などの飾り部４を設け、飾り部４の裏側にゴム輪を設けバック本体１を折りたたんで長尺状ベルト体に形成した後、そのベルト体を他のバックの吊り部に巻きつけてゴム輪で巻着すること特徴とする携帯用バック。【選択図】図１
0003148496.tif 000002
【実用新案登録請求の範囲】
【請求項１】
布地又は柔軟性樹脂生地からなる上部を開口した袋状のバック本体（１）において、バック本体（１）の胴部並びに吊り部全体を横方向に蛇腹状に折りたたみ可能とするプリーツ加工部（２）とし、バック本体（１）の上部に吊り部（３）を設け、バック本体（１）の表面下部の一方の端の角部に花などの飾り部（４）を設け、飾り部（４）の裏側にゴム輪（５）を設け、バック本体（１）を折りたたんで、長尺状ベルト体に形成した後、そのベルト体を他のバックの吊り部に巻きつけてゴム輪（５）で巻着することを特徴とする携帯用バック。
【考案の詳細な説明】
【技術分野】
【０００１】  本考案は、携帯用バックをたたみ易くし、鞄等のアクセサリーとしても使用できる、プリーツ加工アクセサリー型の携帯用バックに関するものである。
【背景技術】
【０００２】  従来、携帯用バックは、小さくたたみ、鞄等の中に入れ、持ち歩いている。また、ミニバックを他のバックの取っ手に装着し、その中に小さく折りたたんだバックを入れて携帯している。
【考案の開示】
【考案が解決しようとする課題】
【０００３】  従来より次のような問題点があった。
（イ）小さく、綺麗に、コンパクトにたたむ手間がかかった。
（ロ）携帯用バックを持っていくことや、鞄の中に入れていたことを忘れることがある。
本考案は以上の問題点を解決しようとするものである。
【課題を解決するための手段】
【０００４】  布地又は柔軟性樹脂生地からなる上部を開口した袋状のバック本体（１）において、バック本体（１）の胴部並びに吊り部全体を横方向に蛇腹状に折りたたみ可能とするプリーツ加工部（２）とし、バック本体（１）の上部に吊り部（３）を設け、バック本体（１）の表面下部の一方の端の角部に花などの飾り部（４）を設け、飾り部（４）の裏側にゴム輪（５）を設け、バック本体（１）を折りたたんで長尺状ベルト体に形成した後、そのベルト体をバックの吊り部に巻きつけてゴム輪（５）で巻着することを特徴とする携帯用バックである。
【考案の効果】
【０００５】  携帯用バックの生地をプリーツ加工することにより、誰でも簡単に折りたたむことが出来る。携帯用バックを使用しないときは、折りたたんで長尺状ベルト体にして、他のバックの吊り部に巻きつけてゴム輪で巻着するために、携帯バックがじゃまにならない。止め具の上に、飾りをつけることにより、鞄等のアクセサリーとしても使用できる。
【考案を実施するための最良の形態】
【０００６】  以下、本考案の実態の形態を説明する。
（イ）布地又は柔軟性樹脂からなる、上部を開口した袋状のバック本体（１）の胴部全体を横方向に蛇腹状に折りたたみ可能とするプリーツ加工（２）し、バック本体（１）の上部に吊り部（３）を設け、吊り部（３）は横方向に蛇腹状に折りたたみ可能とするプリーツ加工を施す。
（ロ）バック本体（１）の表面下部の一方の端の角部に、飾り部（４）を取り付ける。
（ハ）飾り部（４）の裏側にゴム輪（５）を取り付ける。
（ニ）バック本体（１）を折りたたんで、長尺状ベルト体に形成する。
（ホ）長尺状ベルト体に形成したバック本体（１）を、他のバック（６）の吊り部（７）に巻きつけて、ゴム輪（５）を巻着する。
本考案は以上の構成からなる。
【図面の簡単な説明】
【０００７】
【図１】本考案の斜視図
【図２】本考案の飾り部の裏面斜視図
【図３】本考案の折りたたんでベルト体にした時の斜視図
【図４】本考案の使用状態を示す斜視図
【符号の説明】
【０００８】  １  バック本体
２  プリーツ加工部
３  吊り部
４  飾り部
５  ゴム輪
６  他のバック
７  他のバックの吊り部
【図１】
0003148496.tif 000003
【図２】
0003148496.tif 000004
【図３】
0003148496.tif 000005
【図４】
0003148496.tif 000006